(57)【要約】【課題】点火前に好ましい香りを発する玩具花火を提供する。【解決手段】軸部（１）と、該軸部に塗着した火薬（３）と、該軸部における該火薬から露出した部分（１ａ）に塗着した香料（５）とよりなる玩具花火。軸部（１１）と、該軸部に塗着した香料（１３）と、該軸部に固定した筒状体（１５）と、該筒状体内に充填した火薬（１７）と、該筒状体の先端に固定した点火用の頭紙（１９）とよりなる玩具花火。頭紙（１９）に香料（２３）を塗着する。玩具花火の外観色と前記香料の香りとを適合させる。前記火薬の炎色と前記香料の香りとを適合させる。玩具花火の外観色と前記火薬の炎色と前記香料の香りとを適合させる。【選択図】図１
0003097266.tif 000002
【実用新案登録請求の範囲】
【請求項１】
軸部と、該軸部に塗着した火薬と、該軸部における該火薬から露出した部分に塗着した香料とよりなることを特徴とする玩具花火。
【請求項２】
軸部と、該軸部に塗着した火薬と、該火薬の表面に塗着した塗料と、該塗料の表面に塗着した香料とよりなることを特徴とする玩具花火。
【請求項３】
軸部と、該軸部に塗着した火薬と、該火薬の表面に塗着した塗料と香料との混合物とよりなることを特徴とする玩具花火。
【請求項４】
軸部と、該軸部に塗着した香料と、該軸部に固定した筒状体と、該筒状体内に充填した火薬と、該筒状体の先端に固定した点火用の頭紙とよりなることを特徴とする玩具花火。
【請求項５】
軸部と、該軸部に固定した筒状体と、該筒状体内に充填した火薬と、該筒状体の先端に固定した点火用の頭紙と、該頭紙に塗着した香料とよりなることを特徴とする玩具花火。
【請求項６】
玩具花火の外観色と前記香料の香りとを適合させたことを特徴とする請求項１〜５のいずれかの玩具花火。
【請求項７】
前記火薬の炎色と前記香料の香りとを適合させたことを特徴とする請求項１〜５のいずれかの玩具花火。
【請求項８】
玩具花火の外観色と前記火薬の炎色と前記香料の香りとを適合させたことを特徴とする請求項１〜５のいずれかの玩具花火。
【考案の詳細な説明】
【０００１】
【考案の属する技術分野】
本考案は玩具花火に関するものであり、特に好ましい香りを発するようにした玩具花火に係るものである。
【０００２】
【従来の技術】
実用新案登録第３０２７７７０号公報は、火薬層の内部又は表面に芳香剤を塗布、添付又は添加してなる玩具花火（以下「従来の玩具花火」という。）を開示している。
【０００３】
一方、軸部に火薬を塗着してなる玩具花火は「スパークラー」として広く知られている。
【０００４】
また、軸部に固定した筒状体内に火薬を充填し、該筒状体の先端に点火用の頭紙を取り付けてなる玩具花火は「ススキ」として広く知られている。
【０００５】
【考案が解決しようとする課題】
しかるに、上記従来の玩具花火においては、火薬層の表面に芳香剤を塗布、添付又は添加した場合には、該芳香剤が変色し、火薬層の外観を損なうことになる。また、火薬層の内部に芳香剤を塗布、添付又は添加した場合には、該芳香剤が変色するだけでなく、火薬層の燃焼前には芳香剤の香りは火薬層の外部に出ない。更に、火薬層の内部又は表面に芳香剤を塗布、添付又は添加しても、火薬層の燃焼時には火薬の燃焼により発生する強い臭いのために芳香剤の香りが打ち消されるという問題もある。
【０００６】
本考案は上記従来の玩具花火における上述の如き問題を解決しようとしてなされたものである。
【０００７】
【課題を解決するための手段】
上記課題を解決するために、本考案は下記の玩具花火を提供するものである。
【０００８】
（１）軸部と、該軸部に塗着した火薬と、該軸部における該火薬から露出した部分に塗着した香料とよりなることを特徴とする玩具花火（請求項１）。
【０００９】
（２）軸部と、該軸部に塗着した火薬と、該火薬の表面に塗着した塗料と、該塗料の表面に塗着した香料とよりなることを特徴とする玩具花火（請求項２）。
【００１０】
（３）軸部と、該軸部に塗着した火薬と、該火薬の表面に塗着した塗料と香料との混合物とよりなることを特徴とする玩具花火（請求項３）。
【００１１】
（４）軸部と、該軸部に塗着した香料と、該軸部に固定した筒状体と、該筒状体内に充填した火薬と、該筒状体の先端に固定した点火用の頭紙とよりなることを特徴とする玩具花火（請求項４）。
【００１２】
（５）軸部と、該軸部に固定した筒状体と、該筒状体内に充填した火薬と、該筒状体の先端に固定した点火用の頭紙と、該頭紙に塗着した香料とよりなることを特徴とする玩具花火（請求項５）。
【００１３】
（６）玩具花火の外観色と前記香料の香りとを適合させる（請求項６）。
【００１４】
（７）前記火薬の炎色と前記香料の香りとを適合させる（請求項７）。
【００１５】
（８）玩具花火の外観色と前記火薬の炎色と前記香料の香りとを適合させる（請求項８）。
【００１６】
【作用】
［請求項１の考案］
香料は軸部における火薬から露出した部分に塗着されるため、該香料が火薬に接触して変色することはない。該香料は玩具花火の点火前に好ましい香りを発する。なお、請求項１の玩具花火は従来のスパークラーと同様にして使用される。
【００１７】
［請求項２の考案］
香料は火薬の表面に塗着された塗料の表面に塗着されるため、香料が火薬に接触して該香料が変色し、或いは火薬が変質することはない。また、火薬が発する臭いが塗料の被膜により遮断されるため、該香料は玩具花火の点火前に火薬の臭いに影響されることなく好ましい香りを発する。なお、請求項２の玩具花火は従来のスパークラーと同様にして使用される。
【００１８】
［請求項３の考案］
香料は塗料との混合物として火薬の表面に塗着されるため、作業効率が向上するだけでなく、玩具花火の点火前における香料の昇華が低減されるため該香料は長期間にわたり好ましい香りを発する。また、火薬の表面に混合物が塗着されるため、火薬が香料により変色したときでも該変色は外部からは見えない。なお、請求項３の玩具花火は従来のスパークラーと同様にして使用される。
【００１９】
［請求項４の考案］
火薬は筒状体内に充填されるため、軸部に塗着した香料が火薬に接触して変色することはない。該香料は玩具花火の点火前に好ましい香りを発する。なお、請求項４の玩具花火は従来のススキと同様にして使用される。
【００２０】
［請求項５の考案］
香料は筒状体の先端に固定した点火用の頭紙に塗着されるため、該香料が火薬に接触して変色することはない。その他の点においては、請求項５の考案は前記請求項４の考案と同様の作用を有する。
【００２１】
［請求項６の考案］
玩具花火の外観色と香料の香りとを適合させているため、玩具花火の使用者は、玩具花火の使用前に、いわば視覚と嗅覚との一致を楽しむことができる。例えば、玩具花火の外観をメロン色としたときにはメロンの香りを発する香料を使用する。また、玩具花火の外観をピーチ色としたときにはピーチの香りを発する香料を使用する。
【００２２】
［請求項７の考案］
火薬の炎色と香料の香りとを適合させているため、玩具花火の使用者は、玩具花火の使用前における香料の香りと玩具花火の燃焼中における炎色との一致を楽しむことができる。例えば、メロンの香りを発する香料を使用したときにはメロン色の炎色を発する火薬を使用する。また、ピーチの香りを発する香料を使用したときにはピーチ色の炎色を発する火薬を使用する。
【００２３】
［請求項８の考案］
玩具花火の外観色と火薬の炎色と香料の香りとを適合させているため、玩具花火の使用者は玩具花火の使用前における玩具花火の外観色及び香料の香りと、玩具花火の燃焼中における炎色との一致を楽しむことができる。即ち、請求項８の考案は、上記請求項６の考案と請求項７の考案とを合体させた作用を有する。
【００２４】
【考案の実施の形態】
次に、本考案の実施の形態を添付図面に従って説明する。
【００２５】
図１、図２に示す事例における玩具花火は、軸部１と、該軸部１に塗着した火薬３と、該軸部１における該火薬３から露出した部分１ａに塗着した香料５とよりなるものである。この事例の玩具花火はスパークラーである。軸部１は好ましくは木製とする。
【００２６】
図３に示す事例における玩具花火は、軸部１と、該軸部１に塗着した火薬３と、該火薬３の表面に塗着した塗料７と、該塗料７の表面に塗着した香料８とよりなるものである。この事例の玩具花火もスパークラーである。塗料７としては、好ましくは水性塗料を使用する。
【００２７】
図４に示す事例における玩具花火は、軸部１と、該軸部１に塗着した火薬３と、該火薬３の表面に塗着した塗料と香料との混合物９とよりなるものである。混合物９における塗料としては、好ましくは水性塗料を使用する。この事例の玩具花火もスパークラーである。
【００２８】
図５、図７に示す事例における玩具花火は、軸部１１と、該軸部１１に塗着した香料１３と、該軸部１１に固定した筒状体１５と、該筒状体１５内に充填した火薬１７と、該筒状体１５の先端に固定した点火用の頭紙１９とよりなるものである。この事例の玩具花火はススキである。軸部１１は好ましくは木製とする。
【００２９】
筒状体１５は、紙片２１を該筒状体１５と軸部１１とに巻き付けることにより、軸部１１に固定されている。なお、軸部１１はその全長にわたって香料１３を塗着してもよいが、軸部１１における紙片２１から露出した部分１１ａにのみ香料１３を塗着してもよい。
【００３０】
また、図６に示す事例における玩具花火は、軸部１１と、該軸部１１に固定した筒状体１５と、該筒状体１５内に充填した火薬１７と、該筒状体１５の先端に固定した点火用の頭紙１９と、該頭紙１９に塗着した香料２３とよりなるものである。この事例の玩具花火もススキである。軸部１１は好ましくは木製とする。
【００３１】
玩具花火の外観色と前記香料５、１３、２３の香りとを適合させる。玩具花火の外観色とは、例えば図１に示す事例においては火薬３の表面に塗着した塗料の色等であり、図５に示す事例においては頭紙１９の色又は紙片２１の色等である。
【００３２】
前記火薬３、１７の炎色と前記香料５、１３、２３の香りとを適合させる。火薬３、１７の炎色とは火薬３、１７が燃焼時に発する炎の色である。
【００３３】
玩具花火の外観色と前記火薬３、１７の炎色と前記香料５、１３、２３の香りとを適合させる。
【００３４】
本考案による玩具花火は、香料の発散を防止するために、使用時までこれを例えば袋３１内に密封しておくことが望ましい。
【００３５】
なお、香料５、１３、２３を軸部１の部分１ａ、軸部１１、頭紙１９に塗着する際には、浸漬、吹付け、はけ塗りその他いかなる手法を用いてもよい。
【００３６】
メロンの香りを発する香料の組成は一例として下記の通りである。
エチル２−メチルブチレート（ｅｔｈｙｌ　２−ｍｅｔｈｙｌｂｕｔｙｒａｔｅ）　　　　２５重量％
酢酸アミル（ａｍｙｌ　ａｃｅｔａｔｅ）　　　　　　　　　　　　　　　　　　２５重量％
Ｄ−リモネン（Ｄ−ｌｉｍｏｎｅｎｅ）　　　　　　　　　　　　　　　　　　　　３．５重量％
酢酸ブチル（ｂｕｔｙｌ　ａｃｅｔａｔｅ）　　　　　　　　　　　　　　　　　　１．５重量％
シトラールＥＸ（ｃｉｔｒａｌ　ＥＸ）　　　　　　　　　　　　　　　　　　　　　　　　　　　　　　　　　　　０．５重量％
ベンジルアルコール（ｂｅｎｚｙｌ　ａｌｃｈｏｈｏｌ）　　　　　　　　　　　　　　　　　　　　　　　　１重量％
ガンマウンデカラクトン（ｇａｍｍａ　ｕｎｄｅｃａｌａｃｔｏｎｅ）　　　　　　　　　　　　　　　０．５重量％
メロナル１０％（ｍｅｌｏｎａｌ　１０％）　　　　　　　　　　　　　　　　　　　　　　　　　　　　　　　　１重量％
ヴァニリン（ｖａｎｉｌｌｉｎ）　　　　　　　　　　　　　　　　　　　　　　　　　　　　　　　０．２重量％
エチルマルトル１０％（ｅｔｈｙｌ　ｍａｌｔｏｌ　１０％）　　　　　　　　　　　　　　　　　　　　　０．２重量％
ノナデイエナル１％（ｎｏｎａｄｉｅｎａｌ　１％）　　　　　　　　　　　　　　　　　　　　　　　　　　０．５重量％
リナロール（ｌｉｎａｌｏｏｌ）　　　　　　　　　　　　　　　　　　　　１．５重量％
アルデヒドＣ−２６（ａｌｄｅｈｙｄｅ　Ｃ−２６）　　　　　　　　　　　　　　　　　　　　　　　　　　２．５重量％
Ｄ．Ｐ．Ｇ．　　　　　　　　　　　　　　　　　　　　　　　３０重量％
その他　　　　　　　　　　　　　　　　　　　　　　　　　　　７．１重量％
【００３７】
ピーチの香りを発する香料の組成は一例として下記の通りである。
0003097266.tif 000003
【００３８】
レモンの香りを発する香料の組成は一例として下記の通りである。
オクタナル（ｏｃｔａｎａｌ）　　　　　　　　　　　　　　　　２重量％
ノナナル（ｎｏｎａｎａｌ）　　　　　　　　　　　　　　　　　　　　　　　　　　　　　　　１重量％
デカナル（ｄｅｃａｎａｌ）　　　　　　　　　　　　　　　　　　　　　　　　　　　　　　２重量％
シトラルＥＸ（ｃｉｔｒａｌ　ＥＸ）　　　　　　　　　　　　　　　　　　　　　　　　　　　１．４重量％
テルピノレン（ｔｅｒｐｉｎｏｌｅｎｅ）　　　　　　　　　　　　　　　　　　　　　　　　　１重量％
コア１４９０　１％（ｃｏｒｐｓ　１４９０　１％）　　　　　　　　　　　　　　　　　　　　　０．２重量％
シトロネリルニトリル（ｃｉｔｒｏｎｅｌｌｙｌ　ｎｉｔｒｉｌｅ）　　　０．４重量％
ゼラニルニトリル（ｇｅｒａｎｙｌ　ｎｉｔｒｉｌｅ）　　　　　　　　　　　　　　　　　　　　　１重量％
エチルマルトル（ｅｔｈｙｌ　ｍａｌｔｏｌ）　　　　　　　　　　　　　　　　　　　　　　　０．５重量％
ヴァニリン（ｖａｎｉｌｌｉｎ）　　　　　　　　　　　　　　　　　　　　　　　　　　１．５重量％
レモンベース（ｌｅｍｏｎ　ｂａｓｅ）　　　　　　　　　　　　　　　　　　　　　　　　５４重量％
溶媒　　　　　　　　　　　　　　　　　　　　　　　　　　　　　　３５重量％
【００３９】
【考案の効果】
［請求項１の考案］
香料は軸部における火薬から露出した部分に塗着されるため、該香料が火薬に接触して変色することはない。該香料は玩具花火の点火前に好ましい香りを発する。
【００４０】
［請求項２の考案］
香料は火薬の表面に塗着された塗料の表面に塗着されるため、香料が火薬に接触して該香料が変色し、或いは火薬が変質することはない。また、火薬が発する臭いが塗料の被膜により遮断されるため、該香料は玩具花火の点火前に火薬の臭いに影響されることなく好ましい香りを発する。
【００４１】
［請求項３の考案］
香料は塗料との混合物として火薬の表面に塗着されるため、作業効率が向上するだけでなく、玩具花火の点火前における香料の昇華が低減されるため該香料は長期間にわたり好ましい香りを発する。また、火薬の表面に混合物が塗着されるため、火薬が香料により変色したときでも該変色は外部からは見えない。
【００４２】
［請求項４の考案］
火薬は筒状体内に充填されるため、軸部に塗着した香料が火薬に接触して変色することはない。該香料は玩具花火の点火前に好ましい香りを発する。
【００４３】
［請求項５の考案］
香料は筒状体の先端に固定した点火用の頭紙に塗着されるため、該香料が火薬に接触して変色することはない。その他の点においては、請求項３の考案は前記請求項２の考案と同様の効果を発揮する。
【００４４】
［請求項６の考案］
玩具花火の外観色と香料の香りとを適合させているため、玩具花火の使用者は、玩具花火の使用前に、いわば視覚と嗅覚との一致を楽しむことができる。
【００４５】
［請求項７の考案］
火薬の炎色と香料の香りとを適合させているため、玩具花火の使用者は、玩具花火の使用前における香料の香りと玩具花火の燃焼中における炎色との一致を楽しむことができる。
【００４６】
［請求項８の考案］
玩具花火の外観色と火薬の炎色と香料の香りとを適合させているため、玩具花火の使用者は玩具花火の使用前における玩具花火の外観色及び香料の香りと、玩具花火の燃焼中における炎色との一致を楽しむことができる。即ち、請求項８の考案は、上記請求項６の考案と請求項７の考案とを合体させた効果を発揮する。
【図面の簡単な説明】
【図１】本考案による玩具花火の一例を示す側面図である。
【図２】図１のＩＩ−ＩＩ線における断面図である。
【図３】図１のＩＩＩ−ＩＩＩ線における断面図である。
【図４】図１のＩＶ−ＩＶ線における断面図である。
【図５】本考案による玩具花火の別の一例を示す側面図である。
【図６】図３のＶＩ−ＶＩ線における断面図である。
【図７】図３のＶＩＩ−ＶＩＩ線における断面図である。
【符号の説明】
１　軸部
１ａ　部分
３　火薬
５　香料
７　塗料
８　香料
９　混合物
１１　軸部
１１ａ　部分
１３　香料
１５　筒状体
１７　火薬
１９　頭紙
２１　紙片
２３　香料
３１　袋
【図１】
0003097266.tif 000004
【図２】
0003097266.tif 000005
【図３】
0003097266.tif 000006
【図４】
0003097266.tif 000007
【図５】
0003097266.tif 000008
【図６】
0003097266.tif 000009
【図７】
0003097266.tif 000010